(57)【要約】【課題】  本発明は目地部が広くなった場合に目地部が開口するのを確実に防止することができるとともに、構造が簡単で、低コストで設置することができるとともに、ほぼステップ板の厚さ寸法分を除く目地部の幅寸法分だけ、左右の躯体の移動が可能な目地装置を得るにある。【解決手段】  一方の躯体の上面よりも上部に位置する部位の他方の躯体の外壁面に形成された目地部を覆う突出躯体と、一方の躯体の目地部側の上部に先端部が上方へ回動可能に取付けられたステップ板と、このステップ板を常時ほぼ水平状態で開口部を覆うように支持することができるとともに目地部が狭くなると該ステップ板の先端部を上方へ回動させることができ目地部が広くなるとステップ板をほぼ水平にできるステップ板支持機構と、目地部が狭くなるとステップ板の先端部を上方へ回動させる一端部が該ステップ板の先端部寄りの部位に取付けられ他端部が突出躯体の先端部寄りの部位に取付けられた引上げ紐とで目地装置を構成している。【選択図】  図２
2007046431.tif 000002
【特許請求の範囲】
【請求項１】
目地部を介して設けられた一方の躯体の上面よりも上部に位置する部位の、他方の躯体の外壁面に形成された目地部を覆う突出躯体と、前記一方の躯体の目地部側の上部に、先端部が上方へ回動可能に取付けられたステップ板と、このステップ板を常時ほぼ水平状態、あるいは前記目地部の開口部を覆うように支持することができるとともに、前記目地部が狭くなると該ステップ板の先端部を上方へ回動させることができ、目地部が広くなるとステップ板をほぼ水平にできるステップ板支持機構と、前記目地部が狭くなると前記ステップ板の先端部を上方へ回動させる一端部が該ステップ板の先端部寄りの部位に取付けられ、他端部が前記突出躯体の先端部寄りの部位に取付けられたワイヤー、チエーン、コイルスプリングが介装されたワイヤー、コイルスプリング等の引上げ紐とからなることを特徴とする目地装置。
【請求項２】
目地部を介して設けられた一方の躯体の上面よりも上部に位置する部位の、他方の躯体の外壁面に形成された目地部を覆う突出躯体と、前記一方の躯体の目地部側の上部に、先端部が回動可能に取付けられたステップ板と、このステップ板を常時ほぼ上方へ回動位置させて、前記突出躯体と前記一方の躯体との間の隙間を覆うとともに、目地部が広くなると前記突出躯体の移動によってほぼ水平方向へ回動してほぼ水平状態で停止される付勢スプリングを用いたステップ板支持機構とからなることを特徴とする目地装置。
【請求項３】
目地部を介して設けられた一方の躯体の上面よりも上部に位置する部位の、他方の躯体の外壁面に形成された目地部を覆う突出躯体と、前記一方の躯体の目地部側の上部に所定間隔で取り付けられた先端部が該一方の躯体の上部に位置する複数個のガイドローラーと、この複数個のガイドローラーとそれぞれ係合する左右方向のガイドレールが底面に設けられた前記一方の躯体上をスライド移動可能なステップ板と、このステップ板の後端部の底面に開口するように形成された前後方向のガイドレールと、この前後方向のガイドレールに先端部の係合片が係合するとともに、前記ステップ板を支持する前記一方の躯体の目地部側の上部に所定間隔で水平方向に回動可能に取り付けられた複数個の支持部材と、前記ステップ板を常時収納状態にするため前記突出躯体の後端部方向に付勢する付勢機構とからなることを特徴とする目地装置。
【請求項４】
複数個の支持部材はステップ板の収納状態で左右方向に対して所定の傾斜状態になるように設定されていることを特徴とする請求項３記載の目地装置。
【発明の詳細な説明】
【技術分野】
【０００１】
本発明は目地部を突出躯体で覆うことができる部位の目地装置に関する。
【背景技術】
【０００２】
従来、この種の目地装置は目地部を介して設けられた一方の躯体の上面よりも上部に位置する部位の、他方の躯体の外壁面に形成された目地部を覆う突出躯体と、前記一方の躯体の目地部側の上部に先端部が下方へ回動可能に取付けられたステップ板と、このステップ板を常時ほぼ水平状態に保持でき、前記目地部が狭くなると該ステップ板の先端部を下方へ回動可能に支持するステップ板支持機構と、このステップ板支持機構のステップ板をほぼ水平状態に保持する状態をロックするとともに、前記目地部が狭くなると前記他方の目地部側の躯体とステップ板が当接する前に当接するセンサーレバーの作動により前記ロック状態を解除するロック機構とで構成されていた。
【０００３】
このため、地震等で目地部が広くなった場合に、目地部が開口するのを防止することができるが、構造が複雑で、コスト高になるという欠点があるとともに、収納状態ではステップ板、ステップ板支持機構、ロック機構が他方の目地部側の躯体に当接するような収納状態とはならず、目地部の幅寸法に近い移動量を吸収することができないという欠点があった。
【特許文献１】特許第３５８７３７４号
【発明の開示】
【発明が解決しようとする課題】
【０００４】
本発明は以上のような従来の欠点に鑑み、目地部が広くなった場合に、目地部が開口するのを確実に防止することができるとともに、構造が簡単で、低コストで設置することができるとともに、ほぼステップ板の厚さ寸法分を除く目地部の幅寸法分だけ、左右の躯体の移動が可能な目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた一方の躯体の上面よりも上部に位置する部位の、他方の躯体の外壁面に形成された目地部を覆う突出躯体と、前記一方の躯体の目地部側の上部に、先端部が上方へ回動可能に取付けられたステップ板と、このステップ板を常時ほぼ水平状態、あるいは前記目地部の開口部を覆うように支持することができるとともに、前記目地部が狭くなると該ステップ板の先端部を上方へ回動させることができ、目地部が広くなるとステップ板をほぼ水平にできるステップ板支持機構と、前記目地部が狭くなると前記ステップ板の先端部を上方へ回動させる一端部が該ステップ板の先端部寄りの部位に取付けられ、他端部が前記突出躯体の先端部寄りの部位に取付けられたワイヤー、チエーン、コイルスプリングが介装されたワイヤー、コイルスプリング等の引上げ紐とで目地装置を構成している。
【発明の効果】
【０００７】
以上の説明から明らかなように、本発明にあっては次に列挙する効果が得られる。
【０００８】
（１）一方の躯体の上面よりも上部に位置する部位の、他方の躯体の外壁面に形成された目地部を覆う突出躯体と、前記一方の躯体の目地部側の上部に、先端部が上方へ回動可能に取付けられたステップ板と、このステップ板を常時ほぼ水平状態、あるいは前記目地部の開口部を覆うように支持することができるとともに、前記目地部が狭くなると該ステップ板の先端部を上方へ回動させることができ、目地部が広くなるとステップ板をほぼ水平にできるステップ板支持機構と、前記目地部が狭くなると前記ステップ板の先端部を上方へ回動させる一端部が該ステップ板の先端部寄りの部位に取付けられ、他端部が前記突出躯体の先端部寄りの部位に取付けられたワイヤー、チエーン、コイルスプリングが介装されたワイヤー、コイルスプリング等の引上げ紐とで構成されているので、目地部が広くなっても、ステップ板で目地部を覆うことができ、目地部内へ転落したりする事故を防止することができる。
【０００９】
（２）前記（１）によって、目地部が狭くなった場合、ステップ板を引上げ紐で自動的に上方へ回動し、一方の躯体の目地部側の壁面に当接させるように収納することができる。
したがって、目地部内にはステップ板の厚さ寸法分だけが残り、それ以上の寸法の移動が可能となり、左右の躯体の移動量を十分に確保することができる。
【００１０】
（３）前記（１）によって、構造が簡単で、容易に設置することができ、低コスト化を図ることができる。
【００１１】
（４）請求項２、３も前記（１）〜（３）と同様な効果が得られる。
【発明を実施するための最良の形態】
【００１２】
以下、図面に示す本発明を実施するための最良の形態より、本発明を詳細に説明する。
【００１３】
図１ないし図５に示す本発明を実施するための最良の第１の形態において、１は本発明の目地装置で、この目地装置１は目地部２を介して設けられた床躯体等の一方の躯体３の上面よりも上部に位置する部位の、免震ビル等の他方の躯体４の外壁面４ａに形成された目地部２を覆う先端部が下方へ突出する突出部５ａを有する突出躯体５と、前記一方の躯体３の目地部側の上部にヒンジ部材６を介して先端部が上方へ回動可能に取付けられたステップ板７と、このステップ板７を常時ほぼ水平状態に支持することができ、前記目地部２が狭くなると該ステップ板７の先端部を上方へ回動させることができる一端部がステップ板７の先端部寄りの底面に枢支ピン８で枢支され、他端部がステップ板７の下方の一方の躯体３に垂直方向にガイドできるように取付けられたガイドレール９にスライド移動可能なスライダー１０を介して取付けられたアーム１１とからなる、少なくとも１個以上、好ましくは複数個のステップ板支持機構１２、１２と、前記目地部２が地震等によって揺れ動いて狭くなると、前記ステップ板７の先端部を上方へ回動させる一端部が、該ステップ板７の先端部寄りの部位に取付けられ、他端部が前記突出躯体５の先端部寄りの突出部５ａ内の部位に取付けられたワイヤー、チエーン、コイルスプリングが介装されたワイヤー、コイルスプリング等、少なくとも１個以上、好ましくは複数個の引上げ紐１３、１３とで構成されている。
【００１４】
上記構成の目地装置１は平時には図１および図２に示すように、目地部２は突出躯体５によって覆われている。
地震等によって左右の躯体３、４が異なる方向に揺れ動いて目地部２が広くなった場合には、図４に示すように左右の躯体３、４が離れる方向に移動するが、ステップ板７はステップ板支持機構１２、１２のアーム１１、１１の下端部のスライダー１０、１０がガイドレール９、９の下端部のストッパー部１４、１４と当接しているため、ほぼ水平状態を保っているため、人が乗っても目地部２内へ転落する事故を確実に防止することができる。
また、目地部２が狭くなった場合、図５に示すように左右の躯体３、４が近づく方向に移動するため、引上げ紐１３、１３によってステップ板７を上方へ回動し、最大でステップ板７が垂直状態で、該ステップ板７の厚さとステップ板支持機構１２もほぼ垂直状態となり、この厚さ寸法分を足した寸法が目地部内に位置するだけとなり、目地部の寸法から少しだけ差し引いた分だけ移動可能となる。
[発明を実施するための異なる形態]
【００１５】
次に、図６ないし図２５に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１６】
図６ないし図８に示す本発明を実施するための第２の形態において、前記本発明を実施するための最良の第１の形態と主に異なる点は、アーム１１の一端部をステップ板７の下方の一方の躯体３に枢支ピン８で枢支し、他端部をステップ板７の先端部寄りの底面に固定されたガイドレール９にスライド移動可能に取付けた複数個のステップ板支持機構１２Ａ、１２Ａを用いた点で、このように構成した目地装置１Ａにしても、前記本発明を実施するための最良の第１の形態と同様な作用効果が得られる。
【００１７】
図９ないし図１３に示す本発明を実施するための第３の形態において、前記本発明を実施するための最良の第１の形態と主に異なる点は、ステップ板７を常時は突出躯体５と一方の躯体３との間の隙間１５を覆えるようにガイドレール９とスライダー１０との間に付勢スプリング１６を介装したステップ板支持機構１２Ｂ、１２Ｂを用いた点で、このようなステップ板支持機構１２Ｂ、１２Ｂは通常時には付勢スプリング１６の付勢力でステップ板７を上方へ回動位置させて隙間１５を覆うとともに、目地部２が広くなった場合には突出躯体５によってステップ板７がほぼ水平方向となるように押し付けられ、該ステップ板７に人が乗っても目地部２内へ落下するのを防止できる目地装置１Ｂにできる。
すなわち、ステップ板７がほぼ水平状態でアーム１１がガイドレール９のストッパー部１４に当接あるいは付勢スプリング１６が移動不能に設定することにより、ステップ板７のほぼ水平状態を保つことができる。
また、ストッパー１７によって目地部が狭くなった時のステップ板７の前方への回動を阻止できる。
【００１８】
図１４ないし図２２に示す本発明を実施するための第４の形態において、前記本発明を実施するための最良の第１の形態と主に異なる点は、一方の躯体３の目地部側の上部に所定間隔で取り付けられた先端部が該一方の躯体３の上部に位置する複数個のガイドローラー１８と、この複数個のガイドローラー１８とそれぞれ係合する左右方向のガイドレール１９が底面に設けられた一方の躯体３上をスライド移動可能なステップ板７Ａと、このステップ板７Ａの後端部の底面に開口するように形成された前後方向のガイドレール２０と、この前後方向のガイドレール２０に先端部の係合片２１が係合するとともに、ステップ板７Ａを支持する一方の躯体３の目地部側の上部に所定間隔で水平方向に回動可能に取り付けられた複数個の支持部材２２と、ステップ板７Ａを常時収納状態にするため前記突出躯体５の後端部方向に付勢する付勢機構２３とを備え、前記複数個のガイドローラー１８は一方の躯体３に固定されたアングル状の取付金具２４、この取付金具２４に上下方向にスライド移動可能な支持軸２５、この支持軸２５の上部の左右に取り付けられたローラー２６、２６、前記支持軸２５を常時下方に付勢する付勢スプリング２７とで構成され、前記複数個の支持部材２２は先端部の底面が順次小幅寸法に形成された支持部材本体２８、この支持部材本体２８の先端部より上方に突出形成された先端部にローラー２９が取り付けられた係合片２１とで構成され、前記付勢機構２３は一端部がステップ板７Ａあるいは支持部材２２の先端部、本実施例ではステップ板７Ａに固定され、他端部が該固定部と対応する部位の他方の躯体４に固定されたガイドローラー３０、３０を介して他方の躯体４に固定されたワイヤー３１とコイルスプリング３２とからなる牽引部材３３とで構成されている。
このように、構成された目地装置１Ｃにしても前記前記本発明を実施するための最良の第１の形態と同様な作用効果が得られる。
【００１９】
図２３ないし図２５に示す本発明を実施するための第５の形態において、前記本発明を実施するための第４の形態と主に異なる点は、先端部に他方の躯体４にと当接して転動するローラー３４を取り付けた複数個の支持部材２２Ａと、支持軸２５の上部に水平方向に回転するように取り付けられたローラー２６Ａを用いた複数個のガイドローラー１８Ａと、ガイドローラー３０、３０、３０を介してワイヤー３１の他端部に重り３５を用いた付勢機構２３Ａとを用いた点で、このように構成した目地装置１Ｄにしても、前記本発明を実施するための第４の形態と同様な作用効果が得られる。
【産業上の利用可能性】
【００２０】
本発明は目地装置を製造する産業で利用される。
【図面の簡単な説明】
【００２１】
【図１】本発明を実施するための最良の第１の形態の設置状態の説明図。
【図２】図１の２−２線に沿う拡大断面図。
【図３】図１の３−３線に沿う断面図。
【図４】本発明を実施するための最良の第１の形態の目地部が広くなった動作説明図。
【図５】本発明を実施するための最良の第１の形態の目地部が狭くなった動作説明図。
【図６】本発明を実施するための第２の形態の設置状態の説明図。
【図７】図６の７−７線に沿う拡大断面図。
【図８】図６の８−８線に沿う断面図。
【図９】本発明を実施するための第３の形態の設置状態の説明図。
【図１０】図９の１０−１０線に沿う拡大断面図。
【図１１】本発明を実施するための第３の形態のステップ板支持機構の説明図。
【図１２】本発明を実施するための第３の形態の目地部が広くなった動作説明図。
【図１３】本発明を実施するための第３の形態の目地部が狭くなった動作説明図。
【図１４】本発明を実施するための第４の形態の設置状態の説明図。
【図１５】図１４の１５−１５線に沿う拡大断面図。
【図１６】図１４の１６−１６線に沿う拡大断面図。
【図１７】本発明を実施するための第４の形態のステップ板の説明図。
【図１８】本発明を実施するための第４の形態の支持部材の説明図。
【図１９】本発明を実施するための第４の形態の目地部が広くなった動作断面図。
【図２０】本発明を実施するための第４の形態の目地部が広くなった動作平面図。
【図２１】本発明を実施するための第４の形態の目地部が狭くなった動作断面図。
【図２２】本発明を実施するための第４の形態の目地部が狭くなった動作平面図。
【図２３】本発明を実施するための第５の形態の設置状態の説明図。
【図２４】図２３の２４−２４線に沿う拡大断面図。
【図２５】図２３の２５−２５線に沿う拡大断面図。
【符号の説明】
【００２２】
１、１Ａ、１Ｂ、１Ｃ、１Ｄ：目地装置、
２、    ２：目地部、
３：一方の躯体、              ４：他方の躯体、
５：突出躯体、                ６：ヒンジ部材、
７、７Ａ：ステップ板、        ８：枢支ピン、
９：ガイドレール、            １０：スライダー、
１１：アーム、                                
１２、１２Ａ、１２Ｂ：ステップ板支持機構、
１３：引上げ紐、              １４：ストッパー部、
１５：隙間、                  １６：付勢スプリング、
１７：ストッパー、            １８、１８Ａ：ガイドローラー、
１９：左右方向のガイドレール、２０：前後方向のガイドレール、
２１：係合片、                ２２、２２Ａ：支持部材、
２３、２３Ａ：付勢機構、      ２４：取付金具、
２５：支持軸、                ２６、２６Ａ：ローラー、
２７：付勢スプリング、        ２８：支持部材本体、
２９：ローラー、              ３０：ガイドローラー、
３１：ワイヤー、              ３２：コイルスプリング、
３３：牽引部材、              ３４：ローラー、
３５：重り。
【図１】
2007046431.tif 000003
【図２】
2007046431.tif 000004
【図３】
2007046431.tif 000005
【図４】
2007046431.tif 000006
【図５】
2007046431.tif 000007
【図６】
2007046431.tif 000008
【図７】
2007046431.tif 000009
【図８】
2007046431.tif 000010
【図９】
2007046431.tif 000011
【図１０】
2007046431.tif 000012
【図１１】
2007046431.tif 000013
【図１２】
2007046431.tif 000014
【図１３】
2007046431.tif 000015
【図１４】
2007046431.tif 000016
【図１５】
2007046431.tif 000017
【図１６】
2007046431.tif 000018
【図１７】
2007046431.tif 000019
【図１８】
2007046431.tif 000020
【図１９】
2007046431.tif 000021
【図２０】
2007046431.tif 000022
【図２１】
2007046431.tif 000023
【図２２】
2007046431.tif 000024
【図２３】
2007046431.tif 000025
【図２４】
2007046431.tif 000026
【図２５】
2007046431.tif 000027